(57)【要約】【課題】保有した電子本を効率的に管理することができるようにした端末機における読書管理方法及びその装置を提供する。【解決手段】端末機における読書管理方法は、電子本に対する読書期間と前記読書期間の日付別の読書量とを設定する段階と、前記電子本に対する読書を実行している間に、前記読書量の達成率をモニタリングする段階と、前記読書期間と前記達成率とを含む読書スケジュール情報を表示する段階とを有する。【選択図】      図２
2013101618.tif 000002
【特許請求の範囲】
【請求項１】
電子本に対する読書期間と前記読書期間の日付別の読書量とを設定する段階と、
前記電子本に対する読書を実行している間に、前記読書量の達成率をモニタリングする段階と、
前記読書期間と前記達成率とを含む読書スケジュール情報を表示する段階とを有することを特徴とする端末機における読書管理方法。
【請求項２】
前記読書量の達成率をモニタリングする段階は、前記電子本の現在表示されているページが予め設定された読書認定条件を満たすか否かを判断する段階と、
前記現在表示されているページが前記読書認定条件を満たしていれば、前記現在表示されているページを読んだページに設定する段階とを含むことを特徴とする請求項１に記載の端末機における読書管理方法。
【請求項３】
前記読書認定条件を満たすか否かを判断する段階は、ページめくりが実行されれば、前記ページめくりが前記読書認定条件を満たすか否かを判断する段階を含むことを特徴とする請求項２に記載の端末機における読書管理方法。
【請求項４】
前記現在表示されているページを読んだページに設定する段階は、前記ページめくりが１ページ単位のページめくりであれば、前記現在表示されているページを読んだページとして設定する段階を含むことを特徴とする請求項３に記載の端末機における読書管理方法。
【請求項５】
前記読書認定条件は、ページめくりの有無、ユーザが前記現在表示されているページに別途の情報を入力したか否か、及び前記現在表示されているページがあらかじめ定められた読書認定時間以上で表示されているか否か、の内の少なくとも１つを含むことを特徴とする請求項２に記載の端末機における読書管理方法。
【請求項６】
前記読書量の達成率をモニタリングする段階は、前記読んだページとして設定されたページの分量に基づいて前記読書量の達成率を計算する段階をさらに含むことを特徴とする請求項２に記載の端末機における読書管理方法。
【請求項７】
前記読書量の達成率を計算する段階は、前記設定された日付別の前記読書量と前記読んだページとして設定されたページの分量との比率を計算する段階を含むことを特徴とする請求項６に記載の端末機における読書管理方法。
【請求項８】
前記読書量の達成率を計算する段階は、前記電子本の全体分量と前記読んだページとして設定されたページの分量との比率を計算する段階を含むことを特徴とする請求項６に記載の端末機における読書管理方法。
【請求項９】
前記電子本に対する読書期間と前記読書期間の日付別の読書量とを設定する段階は、読書の開始日付と一日読書量とを設定する段階と、
前記開始日付と前記一日読書量とに基づいて読書の完了日付を計算して表示する段階とを含むことを特徴とする請求項１に記載の端末機における読書管理方法。
【請求項１０】
前記電子本に対する読書期間と前記読書期間の日付別の読書量とを設定する段階は、読書の開始日付と完了日付を設定する段階と、
前記開始日付と前記完了日付とに基づいて一日読書量を計算して表示する段階とを含むことを特徴とする請求項１に記載の端末機における読書管理方法。
【請求項１１】
前記電子本に対する読書期間と前記読書期間の日付別の読書量とを設定する段階は、アラーム時刻を設定する段階をさらに含み、
前記読書期間中に前記設定されたアラーム時刻にアラームを鳴らす段階をさらに含むことを特徴とする請求項１に記載の端末機における読書管理方法。
【請求項１２】
前記読書スケジュール情報を表示する段階は、前記電子本のページにオーバーラップし、前記電子本の全体分量と、読んだページの分量と、現在表示されているページの位置と、現在の読み終えておくべき計画された読書範囲において最終ページの位置を示すスクロールバーとを表示する段階を含むことを特徴とする請求項１に記載の端末機における読書管理方法。
【請求項１３】
前記読書スケジュール情報を表示する段階は、前記日付別に設定された読書量において読んだページの分量情報と読んでいないページの分量情報とを表示する段階を含むことを特徴とする請求項１に記載の端末機における読書管理方法。
【請求項１４】
電子本を格納する格納部と、
前記電子本に対する読書期間と該読書期間の日付別に読書量を設定し、前記読書量の達成率をモニタリングする制御部と、
前記制御部の制御下にて、前記電子本のページを表示し、前記読書期間及び前記読書量の達成率を含む読書スケジュール情報を表示する表示部とを有することを特徴とする端末機における読書管理装置。
【請求項１５】
電子本のテキスト情報を音声データに変換するテキスト音声変換部と、
前記テキスト音声変換部から入力された音声データをスピーカーを介して可聴音に変換して出力するオーディオ処理部とをさらに有し、
前記制御部は、前記オーディオ処理部によって音声出力が完了したページを読んだページに設定することを特徴とする請求項１４に記載の端末機における読書管理装置。
【発明の詳細な説明】
【技術分野】
【０００１】
本発明は、読書管理方法及びその装置に関し、特に端末機において電子本（ｅｌｅｃｔｒｏｎｉｃ  ｂｏｏｋ）の読書と関連してスケジュールを管理することができるようにした読書管理方法及びその装置に関する。
【背景技術】
【０００２】
一般的に、電子本は、テキストやイメージのような情報を電子媒体に記録し、書籍のように利用することができるデジタル図書を総称する。
ユーザは、電子本リーダー（ｒｅａｄｅｒ）機能を備えた電子機器を利用して電子本の読書が可能である。特に電子本は、紙の本に比べて価格が安い。そして、ユーザは、端末機、例えばタブレット型パソコンを利用していつでもどこでも容易に所望の電子本を購入し、読書することができる。従って、電子本の利用が倦まず弛まず増加する傾向にある。
【０００３】
一方、端末機は、多様で且つ多くの量の電子本を収容することができる。従って、保有した電子本に対する効率的な管理の必要性が高まっている。
しかし、従来、電子機器は、現在読んでいるページの位置情報とユーザが別にブックマーク（ｂｏｏｋｍａｒｋ）した位置情報を提供しているだけで、さらに効率的に電子本を管理することができる機能を提供していないという問題がある。
特に電子本の保有量が多ければ多いほど、それぞれの電子本に対して計画的に読書をすることができるように支援する機能が必須と言える。
【発明の概要】
【発明が解決しようとする課題】
【０００４】
本発明は上記従来の端末機における問題点に鑑みてなされたものであって、本発明の目的は、保有した電子本を効率的に管理することができるようにした端末機における読書管理方法及びその装置を提供することにある。
【０００５】
具体的には、本発明は、保有した電子本に対して計画的に読書をすることができるようにする機能を提供することを目的とする。
また、本発明は、読書の現況をモニタリングし、ユーザに案内する機能を提供することを目的とする。
【課題を解決するための手段】
【０００６】
上記目的を達成するためになされた本発明による端末機における読書管理方法は、電子本に対する読書期間と前記読書期間の日付別の読書量とを設定する段階と、前記電子本に対する読書を実行している間に、前記読書量の達成率をモニタリングする段階と、前記読書期間と前記達成率とを含む読書スケジュール情報を表示する段階とを有することを特徴とする。
【０００７】
上記目的を達成するためになされた本発明による端末機における読書管理装置は、電子本を格納する格納部と、前記電子本に対する読書期間と該読書期間の日付別に読書量を設定し、前記読書量の達成率をモニタリングする制御部と、前記制御部の制御下にて、前記電子本のページを表示し、前記読書期間及び前記読書量の達成率を含む読書スケジュール情報を表示する表示部とを有することを特徴とする。
【発明の効果】
【０００８】
本発明に係る端末機における読書管理方法及びその装置によれば、保有した電子本を効率的に管理することができる効果を提供する。
具体的に、本発明は、保有した電子本に対して計画的に読書をすることができるようにし、読書の現況をモニタリングしてユーザに案内することができるという効果がある。
【図面の簡単な説明】
【０００９】
【図１】本発明の一実施形態による携帯端末機の構成を示す図である。
【図２】本発明の一実施形態による電子本アプリケーション部の構成を示す図である。
【図３】本発明の一実施形態による読書管理方法を説明するためのフローチャートである。
【図４】本発明の他の実施形態による読書管理方法を説明するためのフローチャートである。
【図５】本発明のさらに他の実施形態による読書管理方法を説明するためのフローチャートである。
【図６】読書スケジュール設定のための画面例示図である。
【図７】読書スケジュール設定のための画面例示図である。
【図８】読書実行のための画面例示図である。
【図９】読書実行のための画面例示図である。
【図１０】図書推薦のための画面例示図である。
【図１１】読書現況情報を示すためのスクロールバーの形態を示す図である。
【発明を実施するための形態】
【００１０】
次に、本発明に係る端末機における読書管理方法及びその装置を実施するための形態の具体例を図面を参照しながら説明する。
【００１１】
本発明の詳細な説明に先立って、以下で使用される用語や単語は、通常的又は辞書的な意味に限定して解釈してもならないし、本発明の技術的思想に符合する意味と概念として解釈しなければならない。従って、本明細書と図面は、本発明の好ましい実施形態に過ぎないもので、本発明の技術的思想をすべて代弁するものではないので、本出願時点においてこれらを代替することができる多様な均等物と変形例があり得ることを理解しなければならない。
また、添付の図面において一部の構成要素は、誇張されるか、又は省略されるか、または概略的に図示しており、各構成要素のサイズは、実際サイズを反映するものではない。
従って、本発明は、添付の図面に描かれた相対的なサイズや間隔によって制限されない。
【００１２】
本発明による読書管理装置は、電子本リーダー機能を備えた多様な形態の電子機器に適用することができる。特に本発明による読書管理装置は、スマートフォン、タブレット型パソコンなどのような携帯端末機に適用することができる。以下の説明では、読書管理装置を携帯端末機として仮定して説明する。
【００１３】
また、本発明による読書管理装置は、保有した電子本の読書計画を設定することができる機能と、読書現況をモニタリングして案内する機能と、ユーザの読書パターンを分析し、分析結果に基づいてユーザに図書を推薦する機能などを提供することができる。
【００１４】
以下、このような本発明の特徴について具体的に説明する。但し、このような本発明の特徴を説明するにあたって、関連した公知機能または構成に対する具体的な説明が本発明の要旨を不明にすることができると判断される場合、その詳細な説明は省略することができる。
【００１５】
図１は、本発明の一実施形態による携帯端末機の構成を示す図である。
図１を参照すると、本発明による携帯端末機１００は、タッチスクリーン１１０、キー入力部１２０、表示部１３０、格納部１４０、無線通信部１５０、オーディオ処理部１６０、スピーカー（ＳＰＫ）、マイク（ＭＩＣ）、及び制御部１７０を備えてなる。
【００１６】
タッチスクリーン１１０は、表示部１３０の前面に装着され、タッチスクリーン１１０に対するユーザの操作に応答してタッチイベントを発生させて制御部１７０に伝達する。
制御部１７０は、このようなタッチイベントに応答して上述した構成を制御することができる。
【００１７】
ここで、ユーザの操作は、タッチ（Ｔｏｕｃｈ）、タップ（Ｔａｐ）、ダブルタップ（Ｄｏｕｂｌｅ  Ｔａｐ）、プレス（Ｐｒｅｓｓ）、ドラッグ（Ｄｒａｇ）、ドラッグアンドドロップ（Ｄｒａｇ  ＆  Ｄｒｏｐ）及びスウィープ（Ｓｗｅｅｐ）などに区分することができる。
ここで、タッチは、ユーザが画面のいずれか１つの地点を押す操作であり、タップは、いずれか１つの地点をタッチした後、指の移動なしに当該地点から指を離す、すなわちドロップする操作であり、ダブルタップは、いずれか１つの地点を連続的に二度タップする操作であり、プレスは、タップより相対的に長くタッチした後、指の移動なしに当該地点から指を離す操作であり、ドラッグは、いずれか１つの地点をタッチした状態で指を所定方向に移動させる操作であり、ドラッグアンドドロップは、ドラッグした後、指を離す操作であり、スウィープは、弾くように、指を速い速度で移動させた後、離す操作を意味する。ここで、ドラッグは、スクロールとも言い、スウィープは、フリック（Ｆｌｉｃｋ）とも言う。
【００１８】
制御部１７０は、移動速度によってスウィープとドラッグを区分することができる。また、タッチスクリーン１１０は、抵抗膜方式（ｒｅｓｉｓｔｉｖｅ  ｔｙｐｅ）、静電容量方式（ｃａｐａｃｉｔｉｖｅ  ｔｙｐｅ）、電磁誘導方式（ｅｌｅｃｔｒｏｍａｇｎｅｔｉｃ  ｉｎｄｕｃｔｉｏｎ  ｔｙｐｅ）及び圧力方式（ｐｒｅｓｓｕｒｅ  ｔｙｐｅ）などを適用することができる。
【００１９】
キー入力部１２０は、数字又は文字情報が入力され、各種機能を設定するための複数の入力キー及び機能キーを含むことができる。
前記機能キーは、特定機能を行うように設定された方向キー、サイドキー及びショートカットキーなどを含むことができる。また、キー入力部１２０は、ユーザ設定及び携帯端末機１００の機能制御と関連したキー信号を生成し、制御部１７０に伝達する。
【００２０】
キー信号は、電源オン／オフ信号、ボリューム調節信号、画面オン／オフ信号などに区分することができる。制御部１７０は、このようなキー信号に応答して上述した構成を制御する。
このようなキー入力部１２０は、複数個のキーを含むクォティ（ＱＷＥＲＴＹ）キーパッド、３×４キーパッド、４×３キーパッドなどで具現することができる。
そして、キー入力部１２０は、携帯端末機のタッチスクリーン１１０がフルタッチスクリーン形態で支援された場合、携帯端末機１００のケース側面に形成される、画面オン／オフ、及び携帯端末機オン／オフなどのための少なくとも１つのサイドキーだけを含むこともできる。
【００２１】
表示部１３０は、制御部１７０から入力された画像データをアナログ信号に変換して表示する。
すなわち、表示部１３０は、携帯端末機の利用による多様な画面、例えば、ロック画面、ホーム画面、アプリケーション実行画面、メニュー画面、メッセージ作成画面、インターネット画面、キーパッド画面などを提供する。
特に本発明による表示部１３０は、制御部１７０の制御下にて電子本アプリケーションの実行画面を提供することができる。
【００２２】
ロック画面は、表示部１３０の画面がオンとされると、表示される画像であることができる。ロック解除のための特定タッチイベントが発生すれば、制御部１７０は、表示される画像をロック画面からホーム画面又はアプリケーション実行画面などに切り替えることができる。
ホーム画面は、複数のアプリケーションにそれぞれ対応する複数のアプリケーションアイコンを含む画像であることができる。複数のアプリケーションアイコンのうちいずれか１つがユーザによって選択されれば、制御部１７０は、当該アプリケーションを実行し、表示される画像を当該アプリケーションの実行画面に切り替えることができる。
【００２３】
また、表示部１３０は、制御部１７０の制御下にて画面を複数の領域に分割し、分割された領域にそれぞれ異なる画面を表示することができる。
例えば、表示部１３０は、画面を第１領域と第２領域に分割し、第１領域にアプリケーション実行画面を表示し、第２領域にキーパッド画面を表示することができる。
【００２４】
また、表示部１３０は、液晶表示装置（Ｌｉｑｕｉｄ  Ｃｒｙｓｔａｌ  Ｄｉｓｐｌａｙ：ＬＣＤ）、ＯＬＥＤ（Ｏｒｇａｎｉｃ  Ｌｉｇｈｔ  Ｅｍｉｔｔｅｄ  Ｄｉｏｄｅ）、ＡＭＯＬＥＤ（Ａｃｔｉｖｅ  Ｍａｔｒｉｘ  Ｏｒｇａｎｉｃ  Ｌｉｇｈｔ  Ｅｍｉｔｔｅｄ  Ｄｉｏｄｅ）などの平板表示パネルの形態で形成されることができる。
【００２５】
また、表示部１３０は、左眼イメージと右眼イメージを表示することができ、表示される左／右眼イメージに対してユーザが深み感を感じることができるようにする３Ｄ具現部を含むことができる。
３Ｄ具現方式は、周知のように、メガネ方式と無メガネ方式に区分される。メガネ方式は、色フィルタ方式、偏光フィルタ方式、及びシャッターガラス方式などがあり、無メガネ方式は、レンチキュラレンズ（Ｌｅｎｔｉｃｕｌａｒ  Ｌｅｎｓ）方式及びパララックスバリア（Ｐａｒａｌｌａｘ  Ｂａｒｒｉｅｒ）方式などがある。
【００２６】
格納部１４０は、携帯端末機のオペレーションシステム（ＯＳ；Ｏｐｅｒａｔｉｎｇ  Ｓｙｓｔｅｍ）及び本発明に必要なアプリケーションを含めて、多様なデータを格納することができる。
格納部１４０は、大きくプログラム領域とデータ領域を含むことができる。
格納部１４０のデータ領域は、携帯端末機の使用によって制御部１７０によって発生するデータを格納することができる。そして、データ領域は、表示部１３０に出力される前述した画面を格納することができる。
【００２７】
これら画面のうちキーパッド画面及びメニュー画面は、それぞれ多様な形態になることができる。
すなわちキーパッド画面は、「３×４」又はクォティ（ＱＷＥＲＴＹ）などの形態になることができる。
また、メニュー画面は、画面切替のための画面切替キー（例えば、以前画面に戻るためのリターン（ｒｅｔｕｒｎ）キーなど）、現在実行中のアプリケーションの制御のための制御キーなどを含むことができる。
【００２８】
そして、キーパッド画面やメニュー画面は、ロック画面、アプリケーション実行画面、ホーム画面などにオーバーラップして表示することができる。
また、データ領域は、貼り付けなどのためにユーザがメッセージ、写真、ウェプページ、文書などでコピーしたデータを臨時格納することができる。また、データ領域は、携帯端末機のオペレーションのための多様な設定値（例えば、画面明るさ、タッチ発生時の振動可否、画面自動回転可否など）を格納することができる。
【００２９】
特に本発明による格納部１４０のデータ領域は、複数の電子本１４１を格納することができる。
そして、データ領域は、格納された複数の電子本１４１それぞれに対する読書現況情報１４２を格納することができる。
ここで、読書現況情報１４２は、読んだページ、読んだ日付、読んでいないページ、ユーザ入力情報などを含むことができる。
【００３０】
ここで、ユーザ入力情報は、ユーザが別途にページに入力した情報として定義される。
このようなユーザ入力情報は、当該ページが表示されるとき、一緒に表示することができる。
例えば、ユーザ入力情報は、メモ、ハイライト、イメージ、しおりなどとすることができる。
また、データ領域は、複数の電子本１４１それぞれに対する読書スケジュール情報１４３を格納することができる。
【００３１】
読書スケジュール情報１４３は、読書の開始日付、読書の完了日付、アラーム情報、日付別読書量（読書範囲）、読書の達成率などを含むことができる。
ここで、読書の達成率は、読み終えておくべきと計画（設定）された読書量（日付別読書量など）に対して実際に読んだページ分量の比率を意味する。
【００３２】
例えば、今日読み終えておくべき読書量が１００ページであるが、ユーザが８０ページだけを読んだ場合、今日の達成率は、８０％となる。
このような達成率は、日付別達成率と、平均達成率を含むことができる。
ここで、平均達成率は、電子本の全体分量に対して読んだページの全体分量の比率を意味する。
【００３３】
また、データ領域は、制御部１７０がそのページを読み終えたか否かを判断することができるようにするため読書（完了）認定条件のルックアップテーブルを格納することができる。
以下に示す表１は、ルックアップテーブルの一例を示すものである。
【表１】
2013101618.tif 000003
【００３４】
ルックアップテーブルから明らかなように、制御部１７０は、現在表示されているページから以前又は次のページにページめくり（すなわち、一枚単位でページめくり）が行われる場合、現在表示されているページを読み終えたものとして認定し、それ以外の本めくり（すなわち、現在表示されているページからその以前又はその次のページではない特定ページにジャンピングするページめくり）は、読み終えたものとして認定しない。
【００３５】
表１を参考して、例えば、フリックが感知されれば、制御部１７０は、現在表示されているページを読み終えたものとして認定し、表示部１３０を制御し、次又は以前のページを表示するようにする。
そして、制御部１７０は、現在表示されているページに対する読書認定と関連して読書スケジュール情報１４３をアップデートする。
また、現在表示されているページの両端、すなわち左側や右側端部でタップが感知されれば、制御部１７０は、現在表示されているページを読み終えたものとして認定する。
【００３６】
一方、本発明による携帯端末機１００は、テキストを音声に変換して出力するＴＴＳ（Ｔｅｘｔ  Ｔｏ  Ｓｐｅｅｃｈ）機能を具備することができる。
すなわち制御部１７０は、このようなＴＴＳ機能を利用して現在表示されているページを音声に変換して出力するよう制御する。この際、現在表示されているページに対する音声出力が完了すれば、制御部１７０は、次のページを表示するよう制御する。そして、制御部１７０は、現在表示されているページを読み終えたものとして認定することができる。
【００３７】
但し、制御部１７０は、ページめくりが一枚単位で行われても、“スクロールバー（Ｓｃｒｏｌｌ  ｂａｒ）”を利用したページめくりは、読み終えたものとして認定しなくてもよい。
ここで、スクロールバーは、現在表示されているページにオーバーラップして表示されるもので、全体ページを示すバーであると言える。
ユーザは、このようなスクロールバーを操作し、ページをめくるか、又は特定ページにジャンピングすることができる。また、スクロールバーには、現在表示されているページの位置情報、読んだ部分、読んでいない部分、今日読み終えておくべき設定された分量の最終ページの位置情報などが含まれることができる。
【００３８】
一方、マルチタッチが感知されれば、制御部１７０は、現在表示されているページから特定ページにページめくりを行うことができる。
ここで、マルチタッチは、ユーザが複数の地点を同時にタッチする操作を意味する。
例えば、ユーザが２つの地点を同時にタッチした状態で弾くように、指を速い速度で移動させる操作（すなわち、マルチフリック）が感知されれば、制御部１７０は、現在表示されているページから次の章（ｃｈａｐｔｅｒ）の初ページを表示するよう制御する。
また、３つの地点で同時にフリックが感知されれば、制御部１７０は、現在表示されているページから最も近いブックマーキングされたページに移動することができる。
【００３９】
以上により、制御部１７０は、マルチタッチを利用した特定ページにジャンピングするページめくりは、読み終えたものとして認定しなくてもよい。
その他、制御部１７０は、現在表示されているページから目次画面、私のノート画面、読書プラン画面へ移動することは、読み終えたものとして認定しなくてもよい。
ここで、私のノート画面は、電子本に対してユーザが入力した情報を表示する画面になることができる。このような私のノート画面でユーザ入力情報に対するタッチイベントの発生が感知されれば、例えば、メモに対するタップが感知されれば、制御部１７０は、タップが行われたメモの当該ページを表示するよう制御する。
【００４０】
上述したようなルックアップテーブルは、ページ読書認定可否を判断するための１つの例示に過ぎず、本発明を限定する事項ではないことを明らかにする。
すなわち、読書認定条件は、ページめくり以外にも、多様な条件、例えば、ユーザ入力情報、時間などになることができる。具体的にユーザが現在表示されているページにユーザ入力情報を入力してから、１ページ単位ではない目次や特定ページへ移動する場合、制御部１７０は、現在表示されているページを読み終えたものとして認定することができる。
【００４１】
すなわち制御部１７０は、現在表示されているページにユーザ入力情報が入力されれば、その後、いずれのページめくりがあっても、現在表示されているページを“読書認定”として認識するものである。
また、読書認定時間を設定することができる。
すなわち制御部１７０は、現在表示されているページが読書認定時間（例えば、１分）以上表示されれば、現在表示されているページを“読書認定”として認識することができる。
【００４２】
格納部１４０のプログラム領域は、携帯端末機の起動及び上述した各構成の運用のためのオペレーションシステム（ＯＳ、Ｏｐｅｒａｔｉｎｇ  Ｓｙｓｔｅｍ）、多様なユーザ機能、例えば、インターネットサーバーに接続するためのウェブブラウザー、その他音源を再生するためのＭＰ３ユーザ機能、写真などを再生するためのイメージ出力機能、動画再生機能などをそれぞれ支援するためのアプリケーションを格納することができる。
【００４３】
特にプログラム領域は、電子本アプリケーション１４４とテキスト音声変換（ＴＴＳ）プログラム１４５を格納することができる。
ここで、電子本アプリケーション１４４は、読書スケジュール、読書現況、図書推薦などを管理するルーチンと、読書を実行するルーチンを含むことができる。
そして、電子本アプリケーション１４４は、ＴＴＳプログラム１４５と連動するためのルーチンをさらに含むことができる。また、電子本アプリケーション１４４自体がＴＴＳ機能を行うようにするためのルーチンを含むこともできる。
【００４４】
また、電子本アプリケーション１４４は、図に示してはいないが、アラームアプリケーションと連動するためのルーチンをさらに含むこともできる。
このようなアラームアプリケーションは、ユーザによって定められた時刻、例えば、読書時刻にアラームを鳴らすアプリケーションであって、携帯端末機１００が起動すれば、自動で実行されることができる。すなわちあらかじめ定められた読書時刻に電子本アプリケーション１４４が自動で実行されることができる。
【００４５】
無線通信部１５０は、音声通話、画像通話、又はデータ通信を制御部１７０の制御下に行う。このために、無線通信部１５０は、送信される信号の周波数を上昇変換及び増幅する無線周波数送信部と、受信される信号の周波数を低雑音増幅及び下降変換する無線周波数受信部などを含むことができる。
また、無線通信部１５０は、移動通信モジュール（例えば、３世代（３−Ｇｅｎｅｒａｔｉｏｎ）移動通信モジュール、３．５（３．５−Ｇｅｎｅｒａｔｉｏｎ）世代移動通信モジュール、又は４（４−Ｇｅｎｅｒａｔｉｏｎ）世代移動通信モジュールなど）、近距離通信モジュール（例えば、ワイファイ（Ｗｉ−Ｆｉ）モジュール）及びデジタル放送モジュール（例えば、ＤＭＢモジュール）を含むことができる。
特に、本発明による無線通信部１５０は、制御部１７０の制御下に、オンライン書店と無線通信を行うことができる。
【００４６】
オーディオ処理部１６０は、制御部１７０から入力されたオーディオ信号をスピーカー（ＳＰＫ）に伝送し、マイク（ＭＩＣ）から入力された音声などのオーディオ信号を制御部１７０に伝達する機能を行う。
すなわち、オーディオ処理部１６０は、音声／音響データを制御部１７０の制御によって、スピーカー（ＳＰＫ）を介して可聴音に変換して出力し、マイク（ＭＩＣ）から受信される音声などのオーディオ信号をデジタル信号に変換し、制御部１７０に伝達することができる。
【００４７】
制御部１７０は、携帯端末機の全般的な動作及び携帯端末機の内部構成間の信号フローを制御し、データを処理する機能を行うことができる。
そして、制御部１７０は、バッテリーから内部構成への電源供給を制御することができる。
また、制御部１７０は、プログラム領域に格納された各種アプリケーションを行うことができる。
特に本発明による制御部１７０は、図２のような電子本アプリケーション部を具備することができる。
【００４８】
図２は、本発明の一実施形態による電子本アプリケーション部の構成を示す図である。
このような電子本アプリケーション部は、制御部１７０の内部に構成することもでき、別途に構成することもできる。
以下では、制御部１７０の内部に構成されるものと仮定して説明する。
図２を参照すると、本発明の一実施形態による電子本アプリケーション部は、読書管理部１７１、読書実行部１７２及びテキスト音声変換部１７３を備えてなる。
【００４９】
読書管理部１７１は、ユーザが計画的な読書をすることができるように読書スケジュールを全般的に管理する機能を行う。このような管理機能は、具体的に次の通りである。
読書管理部１７１は、読書スケジュールを設定する。
タッチスクリーン１１０から読書スケジュール設定の要請と関連したタッチイベントが感知されれば、読書管理部１７１は、読書スケジュール設定画面を表示するように表示部１３０を制御する。
ここで、読書スケジュール設定画面は、読書開始日付設定メニュー、読書完了日付設定メニュー、アラーム設定メニュー、日付別読書量設定メニューなどを含む。
読書スケジュール設定の完了と関連したタッチイベントが感知されれば、読書管理部１７１は、読書スケジュール設定画面を通じて設定された読書スケジュール情報を格納部１４０に格納する。
【００５０】
読書管理部１７１は、読書現況をモニタリングし、ユーザに案内する。
具体的には読書管理部１７１は、読書実行部１７２から読んだ（読み終えた）ページ情報を含む読書現況情報を収集し、収集された読書現況情報を格納部１４０に格納する。
そして、読書管理部１７１は、収集された読書現況情報、すなわち読んだページの分量に基づいて日付別達成率と平均達成率を計算する。
また、収集された読書現況情報の要請と関連したタッチイベントが感知されれば、読書管理部１７１は、読書現況情報を表示するよう制御する。
【００５１】
読書管理部１７１は、読書現況情報に基づいてユーザの読書パターンを分析する。
具体的には読書管理部１７１は、保有している電子本を文学、新聞、雑誌、漫画、専門書籍などカテゴリー別に分類する。
また、読書管理部１７１は、保有している電子本をさらに細分化することができる。例えば、文学の場合、読書管理部１７１は、小説、随筆、詩などジャンル別に分類することができる。そして、読書管理部１７１は、格納された読書現況情報に基づいてカテゴリー別又はジャンル別にユーザの読書比率を計算する。
そして、読書管理部１７１は、計算された読書比率情報を格納部１４０に格納する。
【００５２】
読書管理部１７１は、分析された読書パターンに基づいてユーザに推薦図書情報を提供する。
具体的には読書管理部１７１は、最も読書比率が高い図書のジャンル又はカテゴリー情報をオンライン書店に伝送するように無線通信部１５０を制御する。
すなわち読書管理部１７１は、推薦図書情報をオンライン書店に要請する。
オンライン書店から推薦図書情報を受信すれば、読書管理部１７１は、これを格納部１４０に格納する。
一方、推薦図書の要請と関連したタッチイベントが感知されれば、読書管理部１７１は、推薦図書情報を表示するよう制御することができる。また、読書管理部１７１は、推薦図書情報とともに、読書比率情報を表示するよう制御することもできる。
【００５３】
読書実行部１７２は、電子本の読書を実行する機能を行う。
具体的には読書実行部１７２は、電子本のページを格納部１４０から読み込み、読み込んだページを表示するよう制御する。
そして、ページめくりと関連したタッチイベントが感知されれば、読書実行部１７２は、ページめくりを行う。この際、読書実行部１７２は、上記表１のようなルックアップテーブルを参照して、実行されたページめくりが読書認定に該当するページめくりであるか否かを判断し、判断の結果、“読書認定”の場合、当該ページ情報を読書管理部１７１に伝達する。
ここで、読書認定条件は、ページめくり有無以外にも、上述したように、ユーザが現在表示されているページに別に情報を入力するか否か、及び現在表示されているページがあらかじめ定められた読書認定時間以上表示されているか否かなどになることができる。
【００５４】
また、読書実行部１７２は、テキスト音声変換部１７３を制御する。
すなわち読書実行部１７２は、電子本のテキスト情報を音声として出力するよう制御することができる。
具体的には読書実行部１７２は、ＴＴＳの要請と関連したタッチイベントが感知されれば、読み込んだ電子本のページからテキストをテキスト音声変換部１７３に伝達する。
これにより、テキスト音声変換部１７３は、伝達されたテキストを音声データに変換し、オーディオ処理部１６０に出力する。この際、１つのページに対する音声出力が完了すれば、読書実行部１７２は、ページめくりを行う。そして、読書実行部１７２は、音声出力が完了したページに対してユーザが読んだものと認定し、その情報を読書管理部１７１に伝達する。
【００５５】
一方、本発明による携帯端末機１００は、その提供形態によってカメラモジュールと、ＧＰＳ受信モジュールと、携帯端末機１００の状態、携帯端末機の位置変化などを感知するためのセンサーモジュールと、外部機器と有線又は無線で接続するためのインターフェースモジュールなどのように上記で言及しない構成をさらに含むことができる。
このような構成要素は、デジタル機器のコンバージャンス（ｃｏｎｖｅｒｇｅｎｃｅ）傾向によって変形が非常に多様なので、すべて列挙することはできないが、上記言及された構成要素と同等な水準の構成要素が携帯端末機に追加にさらに含まれて構成することができる。
また、本発明の携帯端末機１００は、その提供形態によって上述した構成から特定構成が除外されるか、他の構成に代替することもできることは勿論である。これは、本技術分野の通常の知識を有する者には、容易に理解されることができる。
【００５６】
以下では、上述した携帯端末機１００の構成に基づいて本発明による読書管理方法を詳しく説明する。
図３は、本発明の一実施形態による読書管理方法を説明するためのフローチャートである。
図１〜図３を参照すると、待機状態で電子本アプリケーション１４４の実行要請と関連したタッチイベントが感知されれば、段階Ｓ３０１で、制御部１７０は、電子本アプリケーション１４４を実行し、複数の電子本のそれぞれ対応する複数の電子本アイコンを含む書棚画面を表示するよう制御する。
【００５７】
ここで、それぞれの電子本アイコンは、読書現況情報を概略的に示す現況表示マークを含むことができる。
例えば、このようなマークは、全体ページにおいて読んだ分量を示すバー（ｂａｒ）タイプになることができる。一方、書棚画面が表示されている間に、段階Ｓ３０２で、複数の電子本のうちいずれか１つの電子本アイコンを選択するタッチイベントが感知されれば、制御部１７０、すなわち読書実行部１７２は、選択された電子本のページを格納部１４０から読んで込み、表示するよう制御する。
ここで、表示されるページは、当該電子本の目次や初ページ又は以前に表示されたページになることができる。
【００５８】
また、読書実行部１７２は、ページとともに、読書スケジュール設定アイコン及び読書現況情報１４２を表示するよう制御することができる。
読書スケジュール設定アイコンは、画面の端部に表示することもできる。また、読書現況情報１４２は、全体ページにおいて読んだ部分を示すためのスクロールバー（Ｓｃｒｏｌｌ  ｂａｒ）形態になることができる。また、ページだけが表示される中に、画面中央部に対するタップが感知されれば、読書実行部１７２は、読書スケジュール設定アイコン及び読書現況情報１４２をページにオーバーラップして表示するよう制御することもできる。
【００５９】
一方、電子本選択ではなく、他の機能、例えば、推薦図書情報の提供と関連した機能が選択されれば、制御部１７０、すなわち読書管理部１７１は、推薦図書情報を提供することができる。
選択されたページが表示されている間に、段階Ｓ３０３で、読書スケジュール設定アイコンが選択されれば、読書管理部１７１は、当該画面を表示するよう制御する。一方、読書計画設定ではなく、他の機能、例えば、ページめくりなどが感知されれば、読書実行部１７２は、ページめくりを行う。
【００６０】
読書スケジュール設定画面が表示されている間に、段階Ｓ３０４で、読書管理部１７１は、読書スケジュールを設定する。
すなわち読書管理部１７１は、感知されたタッチイベントによって読書開始日付、完了日付、日付別読書アラーム時刻、日付別読書量などを設定する。
【００６１】
そして、段階Ｓ３０５で、読書管理部１７１は、設定された読書スケジュール情報を表示するよう制御する。
次に、段階Ｓ３０６で、読書管理部１７１は、読書スケジュール設定の完了の有無を判断する。
判断の結果、読書スケジュール設定がまだ完了しない場合、読書管理部１７１は、段階Ｓ３０４に戻って、ユーザの要請によって読書スケジュールを続いて設定する。
【００６２】
一方、読書スケジュール設定の完了が感知されれば（例えば、「格納ボタン」に対するタップが感知されれば）、段階Ｓ３０７で、読書管理部１７１は、設定された読書スケジュール情報を格納部１４０に格納する。
次に、段階Ｓ３０８で、制御部１７０は、電子本アプリケーション１４４の終了の有無を判断する。
判断の結果、終了しない場合には、段階Ｓ３０２に戻る。
【００６３】
図４は、本発明の他の実施形態による読書管理方法を説明するためのフローチャートである。
図１〜図４を参照すると、段階Ｓ４０１で、制御部１７０は、電子本アプリケーション１４４を実行し、書棚画面を表示する。
この際、書棚画面には、複数の電子本にそれぞれ対応する複数の電子本アイコンが含まれるが、これら電子本アイコンのうち読書スケジュールが設定された電子本のアイコンは、そうではないアイコンと区別されるように表示することができる。
【００６４】
例えば、読書スケジュールが設定された電子本のアイコンは、現況表示マークとともに、読書スケジュールが設定されていることを示すスケジュール設定マークをさらに含むことができる。
例えば、このようなマークは、星形状になることができる。
一方、読書スケジュールが設定された電子本のアイコンだけに対して現況表示マークが表示されるようにすることもできる。このような場合、現況表示マークがスケジュール設定マークを代替する。すなわちスケジュール設定マークは、表示される必要はない。
【００６５】
書棚画面が表示されている間に、段階Ｓ４０２で、電子本が選択されれば、段階Ｓ４０３で、読書実行部１７２は、選択された電子本のページを表示するよう制御する。
この際、付加情報の要請と関連したタッチイベントが感知されれば、段階Ｓ４０４で、読書実行部１７２は、格納部１４０から当該電子本の付加情報を読み込み、読み込んだ付加情報を表示するよう制御する。
すなわち付加情報は、読書現況情報１４２を含む。また、当該電子本が読書スケジュール設定されているものならば、付加情報は、読書スケジュール情報１４３をさらに含むことができる。
【００６６】
次に、段階Ｓ４０５で、ページめくりと関連したタッチイベントが感知されれば、読書実行部１７２は、ページめくりを行う。
上述したように、このようなページめくりは、以前ページ、次ページ、目次、ブックマーク、私のノート画面、読書プラン画面又は次の章（ｃｈａｐｔｅｒ）の初ページなどに移動する行為を意味する。
【００６７】
一方、上述したようにＴＴＳ機能が実行される場合、読書実行部１７２は、現在表示されているページに対する音声出力が完了すれば、現在表示されているページから次のページにページめくりを行うことができる。
そして、段階Ｓ４０６で、読書実行部１７２は、ページめくりが“読書認定”に該当するか否かを判断する。
判断の結果、ページめくりが以前ページ又は次のページに移動するページめくりである場合、読書実行部１７２は、現在表示されているページに対して読み終えたものとして設定する。
【００６８】
次に、段階Ｓ４０７で、読書管理部１７１は、読書実行部１７２から当該情報を収集し、これに基づいて読書現況情報とスケジュール情報を更新する。
一方、ページめくりが以前又は次のページに移動するページめくりであるとしても、あらかじめ定められた臨界（設定された）時間内に移動した場合ならば、読書実行部１７２は、現在表示されているページに対して読み終えたものとして認定しなくてもよい。
すなわち、このような場合は、ユーザが現在表示されているページを読んでおらず、単純にページをめくっている場合である。
【００６９】
上記臨界時間は、図書の分野別に異なって設定することができる。
例えば、漫画の場合、その臨界時間は、短く設定し、小説の場合、漫画より長く設定することができる。
例えば、漫画の臨界時間は、５秒であり、小説の臨界時間は、１０秒である。
【００７０】
次に、段階Ｓ４０８で、読書実行部１７２は、読書の終了の有無を判断する。
判断の結果、読書が終了していない場合、読書実行部１７２は、段階Ｓ４０５に戻る。
一方、当該電子本の読書に対して終了を要請するタッチイベントが感知されれば、プロセスは、段階Ｓ４０９に進行する。
段階Ｓ４０９で、制御部１７０は、電子本アプリケーション１４４の終了の可否を判断する。判断の結果、終了しない場合には、段階Ｓ４０２に戻る。
【００７１】
図５は、本発明のさらに他の実施形態による読書管理方法を説明するためのフローチャートである。
図１〜図５を参照すると、段階Ｓ５０１で、制御部１７０は、電子本アプリケーション１４４を実行し、書棚画面を表示する。
この際、書棚画面は、図書推薦アイコンを含むことができる。
【００７２】
書棚画面が表示されている間に、段階Ｓ５０２で、推薦機能が選択されれば、すなわち図書推薦アイコンに対するタップが感知されれば、プロセスは、段階Ｓ５０３に進行する。
段階Ｓ５０３で、読書管理部１７１は、読書現況情報１４２及びスケジュール情報１４３を利用してユーザの読書パターン、例えば、最も楽しんで読む分野、最も計画をよく守る分野などを分析する。
具体的には、読書管理部１７１は、読書現況情報１４２に基づいてカテゴリー別に、又は、さらに詳細にはジャンル別にユーザの読書比率を計算する。
この際、読書比率は、週刊や月刊単位などに制限して計算されたものであることができる。
【００７３】
すなわち読書管理部１７１は、期間を設定し、設定された期間に対するユーザの読書比率を計算することができる。
また、読書管理部１７１は、読書比率を計算するとき、読書の達成率を加重値として適用することができる。例えば、小説と新聞が同じ読書比率であっても、読書の達成率が小説が高ければ、小説にさらに多い加重値を付与することができる。
【００７４】
次に、段階Ｓ５０４で、読書管理部１７１は、分析された読書パターンに基づいてユーザに推薦図書情報を提供する。
すなわち読書管理部１７１は、無線通信部１５０を制御し、推薦図書情報をオンライン書店に要請し、オンライン書店から受信された推薦図書情報を表示するよう制御する。
【００７５】
次に、段階Ｓ５０５で、読書管理部１７１は、推薦機能の終了の可否を判断する。
判断の結果、推薦機能が終了しない場合、読書管理部１７１は、段階Ｓ５０４に戻る。
一方、推薦機能の終了を要請するタッチイベントが感知されれば、プロセスは、段階Ｓ５０５に進行する。
段階Ｓ５０６で、制御部１７０は、電子本アプリケーション１４４の終了の可否を判断する。
判断の結果、終了しない場合には、段階Ｓ５０２に戻る。
【００７６】
以下では、複数の画面例示図を参照して本発明による読書管理方法及びその装置を説明する。
図６及び図７は、読書スケジュール設定のための画面例示図である。
まず、図６を参照すると、表示部１３０は、制御部１７０の制御下で、読書スケジュール設定画面６００を表示する。
このような読書スケジュール設定画面６００は、読書開始日付設定メニュー６０１、読書完了日付設定メニュー６０２、一日読書量設定メニュー６０３、及びアラーム設定メニュー６１０を含むことができる。
【００７７】
ここで、ユーザが読書開始日付設定メニュー６０１と読書完了日付設定メニュー６０２を利用して読書開始日付と読書完了日付を設定すれば、制御部１７０は、設定された開始日付と完了日付に基づいて一日読書量を計算し、これを表示するよう制御する。
ユーザが読書開始日付設定メニュー６０１を利用して読書開始日を指定し、一日読書量設定メニュー６０３を利用して一日読書量を指定すれば、制御部１７０は、指定された読書開始日と一日読書量に基づいて完了日付を計算し、これを表示するよう制御する。
【００７８】
ここで、一日読書量は、日付別に均等に配分することもでき、非均等に配分することもできる。
例えば、一日読書量設定メニュー６０３に対するタップが感知されれば、制御部１７０は、読書量設定チェックボックス６０４をチェックする。
読書量設定チェックボックス６０４がチェックされた状態でメニューバー６０５に対するタップが感知されれば、制御部１７０は、一日読書量を設定するためのポップアップ窓（図示せず）を読書スケジュール設定画面６００にオーバーラップして表示するよう制御する。
【００７９】
例えば、ポップアップ窓は、「一日に５０ページずつ」、「一日に１章ずつ」、「一日に２章ずつ」、「平日に１章、そして週末に２章ずつ」、「ユーザ指定」などこのような複数の項目を含むことができる。
ここで、ユーザ指定は、項目中にユーザが希望する項目がない場合、ユーザが直接一日読書量を入力することができるようにするための項目である。
【００８０】
このような項目のうちユーザによって１つが選択されれば、制御部１７０は、選択された項目を一日読書量に設定する。
一方、ユーザは、アラーム設定メニュー６１０を利用してアラーム時刻を設定することができる。
すなわち制御部１７０は、アラーム時刻を設定し、読書期間中に毎日設定されたアラーム時刻にアラームを鳴らす。
【００８１】
また、表示部１３０は、制御部１７０の制御下で、読書スケジュール情報６０６を表示することができる。
すなわち読書スケジュール設定画面６００は、メニューによって設定された読書スケジュール情報６０６をさらに含むことができる。
例えば、表示部１３０は、日付別に読み終えておくよう計画された章（ｃｈａｐｔｅｒ）のタイトル（ｔｉｔｌｅ）を表示することができる。この際、表示領域が制限されているので、すべての日付のスケジュール情報が表示されるものではない。
【００８２】
従って、ユーザは、タッチスクリーンを操作し、他の日付に設定されたスケジュール情報を表示するようにすることができる。
すなわち読書スケジュール情報６０６が表示されるタッチスクリーンの領域で上又は下方向へのドラッグが感知されれば、制御部１７０は、他の日付と他の日付に設定されたスケジュール情報を表示するよう制御する。
【００８３】
一方、ユーザは、読書スケジュール情報６０６を利用して、設定された読書計画を修正することができる。
すなわち制御部１７０は、スケジュール情報を修正するためのメニュー６０７、６０８を日付別に表示するよう制御することができる。
【００８４】
ここで、このような修正メニュー６０７、６０８は、図示のように、修正方向を示す矢印形態にすることができる。
上側方向の第１修正メニュー６０７に対するタップが感知されれば、制御部１７０は、当該日付において読み終えておくべきと計画された章又はページを、以前日付に並合することができる。
そして、制御部１７０は、読書の完了日付をスタートとして当該日付までの日程を一日ずつ繰り上げることができる。
【００８５】
下側方向の第２修正メニュー６０８に対するタップが感知されれば、制御部１７０は、当該日付において読み終えておくべきと計画された章又はページを次の日付に並合することができる。
そして、制御部１７０は、読書の開始日付をスタートとして当該日付まで日程を一日ずつ後に延ばすことができる。
【００８６】
また、制御部１７０は、日程を調整せず、当該日付を読書計画がない日付に開けてあることもできる。
格納ボタン６０９に対するタップが感知されれば、制御部１７０は、図７に示すような読書プラン画面を表示するよう制御する。
【００８７】
次に、図７を参照すると、表示部１３０は、制御部１７０の制御下で、読書プラン画面７００を表示する。
このような読書プラン画面７００は、読書現況情報と読書スケジュール情報を提供するためのものである。
具体的には、読書プラン画面７００は、読書達成率情報７０１と読書スケジュール情報７０２を含むことができる。
【００８８】
ここで、読書達成率情報７０１は、全体ページに対して今日読んだ分量の比率情報と、全体ページに対して今日読み終えておくページ量として計画された分量の比率情報と、読書開始日付情報と、読書完了日付情報を含むことができる。
読書スケジュール情報７０２は、日付別に読み終えておくページ量として計画されたページ情報（例えば、章タイトル、当該日付に読むことに計画された全体ページにおいて開始ページと最終ページなど）を含むことができる。
【００８９】
また、読書スケジュール情報７０２は、日付別に読書現況情報をさらに含むことができる。
ここで、読書現況情報は、計画の達成の成否を示す情報、読んだページの分量情報、読んでいないページの分量情報などを含むことができる。
すなわち図７で、符号７０３は、読み終えておくページ量として計画された全ページをすべて読んだことを示す指示子であり、符号７０４は、すべて読んでいないことを示す指示子である。そして、符号７０５は、部分的に読んだことを示す指示子であり、この指示子とともに、読み終えておくページ量として計画された全ページの分量と読んだページの分量を表示することができる。
【００９０】
一方、読書プラン画面７００は、読書実行のためのアイコン７０６、読書スケジュールを修正するためのアイコン７０７、読書スケジュール情報を共有するためのアイコン７０８等をさらに含むことができる。
ここで、読書実行アイコン７０６に対するタップが感知されれば、制御部１７０は、図８及び図９のような読書実行画面を表示するよう制御する。
【００９１】
スケジュール修正アイコン７０７に対するタップが感知されれば、制御部１７０は、図６のような読書スケジュール設定画面６０６を表示するよう制御する。
共有アイコン７０８に対するタップが感知されれば、制御部１７０は、読書スケジュール情報が共有されるように無線通信部１５０を制御する。
例えば、本発明の携帯端末機１００は、フェイスブック（登録商標）やツイッター（登録商標）などのようなソーシャルネットワーキングサービス（ＳＮＳ）システムにユーザの読書スケジュール情報を共有させることができる。
【００９２】
図８及び図９は、読書実行のための画面例示図である。
ここで、図８は、携帯端末機が縦に配置された状態で表示される読書実行画面８００を示すものであり、図９は、携帯端末機が横に配置された状態で表示される読書実行画面９００を示すものである。
【００９３】
図８を参照すると、表示部１３０は、制御部１７０の制御下で、読書実行画面８００、すなわち、電子本のページを表示する。
また、表示部１３０は、制御部１７０の制御下で、読書現況情報と読書スケジュール情報を含む付加情報を読書実行画面８００にオーバーラップして表示することができる。
タッチスクリーン１１０で中央領域に対するタップが感知されれば、制御部１７０は、付加情報を読書実行画面８００上にオーバーラップして表示するよう制御する。
【００９４】
すなわち、このような付加情報は、ユーザが本を読んでいる状態では表示されず、ユーザから別途の要請がある場合にのみ、表示することができる。
付加情報は、全ページ分量において読み終えた部分の分量を示すスクロールバー８０１を含むことができる。ここで、スクロールバー８１０は、今日読み終えておくページ量として計画された読書範囲において最終ページの位置を示すマーク８１１を含むことができる。
スクロールバー８１０において読み終えたページに該当する領域８１２と読んでいないページに該当する領域８１３を区別することができる。
また、スクロールバー８１０は、現在表示されるページの位置を示すマーク８１４をさらに含むことができる。
【００９５】
一方、付加情報は、読書比率情報８２０をさらに含むことができる。
図８に示すように、表示部１３０は、制御部１７０の制御下で、読書比率情報８２０を表示するためのアイコン８２１を画面の上端に表示することができる。
このような読書比率情報８２０は、今日読んだ分量情報、全体として読んだ分量情報、そして図７のような読書プラン画面７００を表示するためのアイコン８２２を含むことができる。
また、表示部１３０は、制御部１７０の制御下で、図書推薦のためのアイコン８３０を画面の上端に表示することができる。このような図書推薦アイコン８３０に対するタップが感知されれば、制御部１７０は、図１０のような図書推薦画面を表示するよう制御する。
【００９６】
図１０は、図書推薦のための画面例示図である。
図１０を参照すると、表示部１３０は、制御部１７０の制御下で、図書推薦画面１０００を表示する。
図１０に示すように、図書推薦画面１０００は、読書パターン情報１０１０、ユーザが最も多く読んだ分野情報１０２０、そしてオンライン書店から受信した推薦図書情報１０３０を含むことができる。
【００９７】
一方、図１１は、読書現況情報を示すためのスクロールバーの形態を例示した図である。
まず、図１１（ａ）を参照すると、スクロールバー１１１０において読んだ部分１１１１と読んでいない部分１１１２を区別することができる。
ここで、読んだ部分１１１１は、中間に読んでいない部分があっても、図に示すように、読んだ初ページと最終ページを連結する直線形態で表示することができる。
一方、図１１（ｂ）を参照すると、実際に読んだ部分１１２１、１１２２、１１２３、１１２４だけが強調されて表示される。
【００９８】
上述したような本発明による読書管理方法は、多様なコンピュータ手段を通じて行われることができるプログラム命令形態で具現され、コンピュータで読み取り可能な記録媒体に記録されることができる。
この際、コンピュータで読み取り可能な記録媒体は、プログラム命令、データファイル、データ構造などを単独でまたは組み合わせて含むことができる。
一方、記録媒体に記録されるプログラム命令は、本発明のために特別に設計されて構成されたものであるか、コンピュータソフトウェア当業者に公知されて使用可能なものであってもよい。
【００９９】
コンピュータで読み取り可能な記録媒体には、ハードディスク、フロッピー（登録商標）及び磁気テープのような磁気媒体（Ｍａｇｎｅｔｉｃ  Ｍｅｄｉａ）、ＣＤ−ＲＯＭ、ＤＶＤのような光記録媒体（Ｏｐｔｉｃａｌ  Ｍｅｄｉａ）、フロプチカルディスク（Ｆｌｏｐｔｉｃａｌ  Ｄｉｓｋ）のような磁気−光媒体（Ｍａｇｎｅｔｏ−Ｏｐｔｉｃａｌ  Ｍｅｄｉａ）、及びＲＯＭ（Ｒｅａｄ  Ｏｎｌｙ  Ｍｅｍｏｒｙ）、ＲＡＭ、フラッシュメモリなどのようなプログラム命令を格納し実行するように特別に構成されたハードウェア装置が含まれる。
【０１００】
また、プログラム命令には、コンパイラーによって作成されるもののような機械語コードだけでなく、インタプリターなどを使用してコンピュータによって実行されることができる高級言語コードを含む。
上述したハードウェア装置は、本発明の動作を行うために１つ以上のソフトウェアモジュールとして作動するように構成されることができる。
【０１０１】
尚、本発明は、上述の実施形態に限られるものではない。本発明の技術的範囲から逸脱しない範囲内で多様に変更実施することが可能である。。
【符号の説明】
【０１０２】
１００    携帯端末機
１１０    タッチスクリーン
１２０    キー入力部
１３０    表示部
１４０    格納部
１４１    電子本
１４２    読書現況情報
１４３    読書スケジュール情報
１４４    電子本アプリケーション
１４５    テキスト音声変換（ＴＴＳ）プログラム
１５０    無線通信部
１６０    オーディオ処理部
１７０    制御部
１７１    読書管理部
１７２    読書実行部
１７３    テキスト音声変換部
【図１】
2013101618.tif 000004
【図２】
2013101618.tif 000005
【図３】
2013101618.tif 000006
【図４】
2013101618.tif 000007
【図５】
2013101618.tif 000008
【図６】
2013101618.tif 000009
【図７】
2013101618.tif 000010
【図８】
2013101618.tif 000011
【図９】
2013101618.tif 000012
【図１０】
2013101618.tif 000013
【図１１】
2013101618.tif 000014